(57)【要約】      （修正有）【課題】スライド部材とケース部材との間に異物が入っても、スタッキング現象が発生しないプッシュスイッチを提供する。【解決手段】操作部を有し、操作部の押し込み操作および解除操作に伴って上下方向に移動するスライド部材５と、スライド部材を上下方向に移動可能に支持するケース部材１と、スライド部材の移動に伴って接離する固定接点および可動接点と、スライド部材を上方に付勢する弾性部材と、からなり、ケース部材にガイド面１ａが、スライド部材にはリブ保持面５ａが、それぞれ互いに対向するように設けられ、リブ保持面には、水平方向の断面形状が略半円状である複数のガイドリブ７が上下方向に伸延しており、ガイドリブがスライド部材の上下移動を許容する微小ギャップを持って、ガイド面と対向している。【選択図】図４
0003186287.tif 000002
【実用新案登録請求の範囲】
【請求項１】
操作部を有し、この操作部の押し込み操作および解除操作に伴って上下方向に移動するスライド部材と、前記スライド部材を上下方向に移動可能に支持するケース部材と、前記スライド部材の移動に伴って接離する固定接点および可動接点と、前記スライド部材を上方に付勢する弾性部材と、からなるプッシュスイッチにおいて、前記スライド部材もしくは前記ケース部材のうち、少なくともどちらか一方にはリブ保持面が、もう一方にはガイド面が、それぞれ互いに対向するように設けられ、前記リブ保持面には水平方向の断面形状が略半円状である複数のガイドリブが上下方向に伸延しており、前記ガイドリブが前記スライド部材の上下移動を許容する微小ギャップを持って、前記ガイド面と対向していることを特徴とするプッシュスイッチ。
【請求項２】
前記スライド部材および前記ケース部材が、ともに略円筒形状であり、前記スライド部材の外周面を前記リブ保持面とし、前記ケース部材の内周面を前記ガイド面としてなり、前記ガイドリブが前記スライド部材の外周面上に周方向に対して等間隔になるように配設されていることを特徴とする請求項１に記載のプッシュスイッチ。
【考案の詳細な説明】
【技術分野】
【０００１】
本考案は、押圧操作されるスライド部材と、このスライド部材を上下方向に移動可能に支持するケース部材を組み合わせて形成されるプッシュスイッチに関するものである。
【背景技術】
【０００２】
従来のプッシュスイッチを図５及び図６を用いて説明する。
従来のプッシュスイッチ２００は、略円筒形状のケース部材１０１を備えている。このケース部材１０１の底部には基板１０２が配設され、この基板１０２には固定接点１０３が設けられている。この固定接点１０３には可動接点１０４が対向して配置されている。この可動接点１０４は固定接点１０３に接触する方向に弾性変形可能となっているが、図５に示すように、初期状態では互いに離れており、プッシュスイッチ２００はオフの状態となっている。
【０００３】
またケース部材１０１の内周面１０１ａには、外周面１０５ａが略円筒形状のスライド部材１０５が上下方向に移動可能に保持されている。ケース部材１０１の内周面１０１ａとスライド部材１０５の外周面１０５ａとは互いに微小な隙間を有して対向している。このスライド部材１０５と可動接点１０４との間には、弾性部材であるラバースプリング１０６が配置されている。
【０００４】
このラバースプリング１０６は、可動接点１０４をスライド部材１０５側から覆う様な略円錐形状で、可動接点１０４の方向に座屈可能なスカート部１０６ａを有する。このスカート部１０６ａの外側の頂部にはスライド部材１０５の押圧部１０５ｂにより押圧される被押圧部１０６ｂが形成されている。またスカート部１０６ａの内側の頂部には、可動接点１０４をスカート部１０６ａの座屈時に押圧して固定接点１０３に接触させる接点押圧部１０６ｃが形成されている。
【０００５】
このように構成された従来のプッシュスイッチ２００では、図６に示すように、スライド部材１０５の操作部１０５ｃがユーザーによって下方向に押圧操作されると、スライド部材１０５の押圧部１０５ｂによりラバースプリング１０６の被押圧部１０６ｂが押圧されてラバースプリング１０６が押し潰されるように沈み込む。
【０００６】
そして、スライド部材１０５が所定の量だけ下がると、ラバースプリング１０６のスカート部１０６ａが座屈する。このとき、スカート部１０６ａの内側では、接点押圧部１０６ｃが可動接点１０４を押圧操作して固定接点１０３に接触させてプッシュスイッチ２００がオンの状態となる。
【０００７】
スライド部材１０５の操作部１０５ｃを押圧している力が解除されると、ラバースプリング１０６はスライド部材１０５により押圧されなくなる。これに伴い、ラバースプリング１０６のスカート部１０６ａの復元力により、スカート部１０６ａは座屈した状態から元の円錐形状に戻ろうとする。このため、スライド部材１０５はラバースプリング１０６に持ち上げられて図５に示す初期位置に復帰する。また可動接点１０４がラバースプリング１０６の押圧操作から開放されて固定接点１０３から離れて、プッシュスイッチ２００が再びオフの状態となる。
【０００８】
前述した従来のプッシュスイッチについては、例えば特許文献１に同様の構成が記載されている。
【特許文献１】特開２００９−９９５０３号公報
【考案の概要】
【考案が解決しようとする課題】
【０００９】
しかしながら従来のプッシュスイッチ２００では、ケース部材１０１の内周面１０１ａとスライド部材１０５の外周面１０５ａとが、たがいに微小な隙間を有して対向するように配置された構成であったため、図７及び図８に示すように、その隙間１０９に砂などの異物１１０が挟まってしまうと、最悪の場合、プッシュスイッチ２００がオンの状態からオフになる際に、スカート部１０６ａの復元力よりも堆積した異物１１０の摺動負荷の方が大きいとスライド部材１０５が上方に復帰移動できなくなり、いわゆるスタッキング現象が発生していた。
【００１０】
プッシュスイッチ２００の使用環境によっては、プッシュスイッチ２００の周辺にはゴミや砂などの異物１１０が多数存在しており、そのサイズも多種多様である。また使用状態にあるスライド部材１０５の外周面１０５ａは、必ずしもケース部材１０１の内周面１０１ａのセンターには無く、通常はどちらかに片側に寄って、任意の１箇所で外周面１０１ａと接触状態にある。
【００１１】
このとき接触箇所の反対側には、外周面１０５ａと内周面１０１ａとの間に最大幅の隙間１０９が存在する。この隙間１０９の大きさは、スライド部材１０５が傾くことなくスムースに上下移動可能となるような所定の寸法以下である必要があるため、結果として砂などの大きめの異物１１０と同等寸法に設定されていた。
【００１２】
したがってこの隙間１０９の間に異物１１０が侵入した場合、隙間１０９よりも小さなサイズの異物１１０は通過して隙間１０９の下方に落下可能だが、隙間１０９とほぼ同等サイズの砂などの異物１１０は、ひっかかって通過できずに隙間１０９内に残ってしまっていた。
【００１３】
そして隙間１０９内に残った異物１１０の上にさらに継続して異物１１０が堆積すると、外周面１０５ａと内周面１０１ａとの間で突っ張り、スライド部材１０５の上下移動の際の大きな摺動負荷となって、スライド部材１０５が上方に復帰移動できなくなり、スタッキング現象が発生していた。
【００１４】
そこで、本考案の目的は、異物１１０の存在する環境下の使用でも、スライド部材１０５のスタッキング現象の発生がなく、かつ、スライド部材１０５が傾くことなくスムースに上下移動できるプッシュスイッチをを提供することにある。
【課題を解決するための手段】
【００１５】
前記の課題を解決するために、本考案のプッシュスイッチは、操作部を有し、この操作部の押し込み操作および解除操作に伴って上下方向に移動するスライド部材と、前記スライド部材を上下方向に移動可能に支持するケース部材と、前記スライド部材の移動に伴って接離する固定接点および可動接点と、前記スライド部材を上方に付勢する弾性部材と、からなる。
【００１６】
そして前記スライド部材もしくは前記ケース部材のうち、少なくともどちらか一方にはリブ保持面が、もう一方にはガイド面が、それぞれ互いに対向するように設けられ、前記リブ保持面には水平方向の断面形状が略半円状である複数のガイドリブが上下方向に伸延しており、前記ガイドリブが前記スライド部材の上下移動を許容する微小ギャップを持って、前記ガイド面と対向していることを特徴とする。
【００１７】
さらに、本考案のプッシュスイッチは、前記スライド部材および前記ケース部材が、水平方向の断面形状がともに略円筒形状であり、前記スライド部材の外周面を前記リブ保持面とし、前期ケース部材の内周面を前記ガイド面としてなり、前記ガイドリブが前記スライド部材の外周面上に周方向が等間隔になるように配設されていることを特徴とする。
【考案の効果】
【００１８】
本考案のプッシュスイッチによれば、前記スライド部材もしくは前記ケース部材のうち、少なくともどちらか一方にはリブ保持面が、もう一方にはガイド面が、それぞれ互いに対向するように設けられ、前記リブ保持面には水平方向の断面形状が略半円状である複数のガイドリブが上下方向に伸延しており、前記ガイドリブが前記スライド部材の上下移動を許容する微小ギャップを持って、前記ガイド面と対向している。
【００１９】
そのような構成のため、前記スライド部材と前記ケース部材とは、前記ガイドリブの高さ分だけ互いに離れて位置し、互いの間には前記ガイドリブの高さ分の隙間が存在する。また前記ガイドリブの高さは砂などの大きめの異物と比較しても充分に大きいため、仮にこの隙間に異物が侵入したとしても、すべての大きさの異物は隙間内に留まることなく隙間を通過してプッシュスイッチの動作に影響のないところまで落下することができる。
【００２０】
また前記ガイドリブの断面形状が略半円状であり、前記ガイド面と前記ガイドリブは円弧の頂点部で対向しているので、摺動する部材同士の対向面積が従来のプッシュスイッチよりも狭くなっているため異物が挟まりにくく、かつ堆積しにくい。よって異物侵入時に異物が隙間に堆積することによるスライド部材のスタッキング現象の発生がない。
【００２１】
さらに前記スライド部材および前記ケース部材が、水平方向の断面形状がともに略円筒形状であり、前記スライド部材の外周面を前記リブ保持面とし、前期ケース部材の内周面を前記ガイド面としてなり、前記ガイドリブが前記スライド部材の外周面上に周方向が等間隔になるように配設されているため、前記ケース部材が前記スライド部材をどの方向へも傾くことが無い様にバランスよくガイドすることができる。
【００２２】
以上の構成により、異物の多く存在する環境下の使用でも、異物によるスライド部材のスタッキング現象の発生がなく、かつ、スライド部材が傾くことなくスムースに上下移動できるプッシュスイッチを提供できる。
【図面の簡単な説明】
【００２３】
【図１】本考案の一実施形態におけるプッシュスイッチのオフ状態を示す側断面図。
【図２】本考案の一実施形態におけるプッシュスイッチのオン状態を示す側断面図。
【図３】本考案の一実施形態におけるプッシュスイッチの平面図。
【図４】本考案の一実施形態における異物の挙動を説明するためのプッシュスイッチの平面図。
【図５】従来のプッシュスイッチのオフ状態を示す側断面図。
【図６】従来のプッシュスイッチのオン状態を示す側断面図。
【図７】従来における異物によるプッシュスイッチのスタッキング状態を説明するための側断面図。
【図８】従来における異物によるプッシュスイッチのスタッキング状態を説明するための平面図。
【考案を実施するための形態】
【００２４】
以下、図１乃至図３にもとづいて本考案の実施の形態について説明する。
本考案のプッシュスイッチ１００は、略円筒形状のケース部材１を備えている。ケース部材１の内周面はガイド面１ａとなっている。またケース１の底部には基板２が配設され、この基板には固定接点３が設けられている。
【００２５】
この固定接点３には可動接点４が対向して配置されている。この可動接点４は固定接点３に接触する方向に弾性変形可能となっているが、図１に示すように、初期状態では互いに離れており、プッシュスイッチ１００はオフの状態となっている。
【００２６】
ケース部材１の内部には、略円筒形状のスライド部材５が上下動可能に配設されている。スライド部材５の上面は操作部５ｃとなっており、この操作部５ｃをユーザーが押圧操作および解除操作することでスライド部材５が上下動するようになっている。スライド部材５の中心部は略円筒形状に形成された押圧部５ｂとなっており、外周面はリブ保持面５ａとなっている。リブ保持面５ａには図３に示すように複数のガイドリブ７が平面視で放射状に成形されている。
【００２７】
またこれらガイドリブ７は、上下方向にほぼ均一の高さで伸延している。ケース部材１のガイド面１ａとガイドリブ７の頂点部７ａとは互いに微小な隙間を有して対向しており、プッシュスイッチ１００の操作時は、頂点部７ａのいずれかがガイド面１ａにガイドされながら摺動することで、スライド部材５は傾いたりすることなくスムースに上下方向に移動可能となっている。
【００２８】
スライド部材５と可動接点４との間には、弾性部材であるラバースプリング６が配置されている。このラバースプリング６は、可動接点４をスライド部材５側から覆う様な略円錐形状で、可動接点４の方向に座屈可能なスカート部６ａを有する。
【００２９】
このスカート部６ａの外側の頂部には、スライド部材５の押圧部５ｂにより押圧される被押圧部６ｂが形成されている。またスカート部６ａの内側の頂部には、可動接点４をスカート部６ａの座屈時に押圧して固定接点３に接触させる接点押圧部６ｃが形成されている。
【００３０】
このように構成された本考案のプッシュスイッチ１００では、図２に示すように、スライド部材５の操作部５ｃがユーザーによって下方向に押圧操作されると、スライド部材５の押圧部５ｂによりラバースプリング６の被押圧部６ｂが押圧されて、ラバースプリング６が押し潰されるように沈み込む。
【００３１】
そして、スライド部材５が所定の量だけ下がると、ラバースプリング６のスカート部６ａが座屈する。このとき、スカート部６ａの内側では、接点押圧部６ｃが可動接点４を押圧操作して固定接点３に接触させてプッシュスイッチ１００がオンの状態となる。
【００３２】
スライド部材５の操作部５ｃを押圧している力が解除されると、ラバースプリング６はスライド部材５により押圧されなくなる。これに伴い、ラバースプリング６のスカート部６ａの復元力により、スカート部６ａは座屈した状態から元の円錐形状に戻ろうとする。
【００３３】
このためスライド部材５は、ラバースプリング６に持ち上げられて図１に示す初期位置に復帰する。また可動接点４がラバースプリング６の押圧操作から開放されて固定接点３から離れて、プッシュスイッチ１００が再びオフの状態となる。
【００３４】
このような本考案のプッシュスイッチ１００が、異物１１０の多数存在する環境下で使用された場合、異物１１０は、図４に示すように、ケース部材１とスライド部材５との隙間９に侵入する。
【００３５】
ところがケース部材１とスライド部材５とが、常にガイドリブ７の高さ分だけ互いに離れて位置していることから、隙間９も前記ガイドリブの高さと同等の大きさとなっている。そしてガイドリブ７の高さは、砂などの大きめの異物１１０と比較しても充分に大きく設定されているため、仮にこの隙間９に異物１１０が侵入したとしても、すべての大きさの異物１１０は隙間９内に留まることなく隙間９を通過して落下する。また落下した異物はラバースプリング６のスカート部６ａの周りを通過して、図示してないケース部材１の底部に設けられた排出口より排出される。またスカート部６ａによってガードされているため固定端子３及び可動端子４の接離状態には影響がないものとなっている。
【００３６】
またガイドリブ７の断面形状が略半円状であり、ガイド面１ａとガイドリブ７は円弧の頂点部７ａで対向しているので、摺動する部材同士の対向状態が線接触状態で接触面積が狭くなっているため、異物１１０が挟まりにくく、かつ堆積しにくい。よって異物１１０の侵入時に異物１１０が隙間９に堆積することによるスライド部材５のスタッキング現象の発生がない。
【００３７】
さらにスライド部材５およびケース部材１が、水平方向の断面形状がともに略円筒形状であり、ガイドリブ７がリブ保持面５ａに周方向が等間隔になるように配設されているため、スライド部材５はどの方向へも傾くことなくバランスよくガイドされておりスムースに上下動することができる。
【００３８】
なお本実施例では、具体的には下記の寸法のものを使用し効果を確認した。
ガイド面１ａ直径：  φ３０ｍｍ
隙間９寸法：        １．５ｍｍ  
リブ保持面５ａ直径：φ２７ｍｍ
ガイドリブ半径：    Ｒ２ｍｍ
スライド部材５の上下移動量：  ５ｍｍ
ガイドリブ頂点部７ａとガイド面１ａとの隙間寸法：  ０．０５ｍｍ
異物直径：    φ１ｍｍ以下でランダム
【００３９】
本考案は上記実施例に限定されるものではなく、各寸法などはプッシュスイッチが使用される用途や環境毎に適宜最適な値を選択できることは言うまでもない。また本実施例では、ガイド面１ａを円筒形状のケース部材１に、リブ保持面５ａを円筒形状のスライド部材５に形成させた構造としたが、これに限られるものではない。例えば、ガイド面１ａをスライド部材５に、リブ保持面５ａをケース部材１に形成させるようにしてもかまわない。
【００４０】
またスライド部材５とケース部材１の水平方向の断面形状を略矩形状としてもよい。ガイドリブ７の断面形状も真円である必要はなく、頂点部７ａが円弧形状であれば楕円や三角形等であってもよい。その他適宜最適な配置や構成に変更することが可能である。
【符号の説明】
【００４１】
１，１０１      ケース部材
１ａ            ガイド面
２，１０２      基板
３，１０３      固定接点
４，１０４      可動接点
５，１０５      スライド部材
５ａ            リブ保持面
５ｂ，１０５ｂ  押圧部
５ｃ，１０５ｃ  操作部
６，１０６      ラバースプリング（弾性部材）
６ａ，１０６ａ  スカート部
６ｂ，１０６ｂ  被押圧部
６ｃ，１０６ｃ  接点押圧部
７              ガイドリブ
７ａ            頂点部
９，１０９      隙間
１００，２００  プッシュスイッチ
１０１ａ        内周面
１０５ａ        外周面
１１０          異物
【図１】
0003186287.tif 000003
【図２】
0003186287.tif 000004
【図３】
0003186287.tif 000005
【図４】
0003186287.tif 000006
【図５】
0003186287.tif 000007
【図６】
0003186287.tif 000008
【図７】
0003186287.tif 000009
【図８】
0003186287.tif 000010